(57)【要約】【課題】  マッサージ部によって与えられるマッサージとして、押圧刺激とともに、しっかりしたさすり刺激をも与えることができるマッサージ機をシンプル化した構成にて提供する。【解決手段】  開口部1aを有するケース１と、このケース１の開口部1aに、少なくともその一部の表面を臨ませて取り付けられる回転体２と、この回転体２の回転軸６を駆動する駆動源４と、回転体２の表面側に回転軸６と平行に配設されるローラ形状のマッサージ部３とを有し、このマッサージ装置では、マッサージ部３を回転体に固着して形成されている。【選択図】図１
2005058581.tif 000002
【特許請求の範囲】
【請求項１】
開口部を有するケースと、このケース開口部に、少なくともその一部の表面を臨ませて取り付けられる回転体と、この回転体の回転軸を駆動する駆動源と、回転体の表面側に配設されるマッサージ部とを有してなるマッサージ装置において、前記マッサージ部を回転体に固着していることを特徴とするマッサージ装置。
【請求項２】
複数のローラー形状のマッサージ部をそれぞれ略等間隔で回転軸に平行に配設するとともに、少なくとも一つ以上のマッサージ部を自由回転可能に配設していることを特徴とする請求項１記載のマッサージ装置。
【請求項３】
ローラー形状のマッサージ部を回転軸に略平行に配設するとともに、このマッサージ部を長手方向に分割形成するとともに、分割された一部を自由回転可能に配設している請求項１記載のマッサージ装置。
【請求項４】
マッサージ部と回転体とを一体部材として形成していることを特徴とする請求項１記載のマッサージ装置。
【発明の詳細な説明】
【技術分野】
【０００１】
本発明は、マッサージ装置に関し、特に脹脛または足裏などを載せたときに押圧、さすりなどの機械的な刺激を連続的に与えることができるマッサージ装置に関するものである。
【背景技術】
【０００２】
従来から、実開昭６３−４０９３０号公報に示されるようなマッサージ装置が知られている。このマッサージ装置は、図４に示すように、左右の支持フレーム100の一方にモーター101の出力軸103を回転可能に保持せしめるとともに、この出力軸103に円盤状のローラ支持板105を固定し、他方の支持フレーム100には別のローラ支持板106を軸受107に対して回転自在に設け、両ローラ支持板105、106の対向面にはドラム状の保護カバー108の両端部が固着され、この保護カバー108から小間隔をおいて、複数本のマッサージローラ109が両ローラ支持板105、106に対して自由回転するように取り付けられている。
【０００３】
このマッサージ機では、モータ101の作動により出力軸103が回転するのに伴って、ローラ支持板105も回転するので、このローラ支持板105、106に取り付けらたマッサージローラ109も回転する。このとき、この回転するマッサージローラ109に脹脛などの人体を載せたりして押しつけることによって、人体に対して機械的な刺激を与えるマッサージを行うことができるようになっている。
【０００４】
しかしながら、この場合には、マッサージローラ109が自由回転するので、押しつけられた人体に対して密着しながら回転するような傾向になり、押圧刺激を与えることはできるが、人体をこするようなさすり刺激を与えることができないものであった。またマッサージローラ109を自由回転するように取り付けているので、構造が複雑になり部品点数が多くなっていた。
【特許文献１】実開昭６３−４０９３０号公報
【発明の開示】
【発明が解決しようとする課題】
【０００５】
本願発明は、上記従背景技術に鑑みて発明されたものであり、その課題は、さすり刺激を与えることができるマッサージ機を、少ない部品点数でシンプルな構造にて実現できるようにすることである。
【課題を解決するための手段】
【０００６】
上記課題を解決するために、本願発明のマッサージ装置は、開口部を有するケースと、このケース開口部に、少なくともその一部の表面を臨ませて取り付けられる回転体と、この回転体の回転軸を駆動する駆動源と、回転体の表面側に配設されるマッサージ部とを有し、このマッサージ部を回転体に固着して形成されている。
【発明の効果】
【０００７】
本願発明のマッサージ装置においては、マッサージ部を回転体に固着しているので、回転体外周に配されたマッサージ部を回転体に固定された状態で回転体とともに回転させることができるものである。したがって、マッサージ部が人体を押圧すると同時に人体をこするように動くことになり、押圧刺激とともにしっかりしたさすり刺激をも与えることができるものである。しかも、ローラ形状などのマッサージ部を回転体に自由に回転するように取り付ける必要がないので、このような従来例に比較して、少ない部品点数でシンプルな構造にて、マッサージ機を構成することができるようになっている。
【発明を実施するための最良の形態】
【０００８】
以下に図１〜３を参照して以下に本願発明を説明する。図１は本願発明のマッサージ装置の全体構成を概略示したものであり、図2、図3は同マッサージ装置における回転体２の具体的な例を示している。
【０００９】
図１に示されるマッサージ装置は、開口部1aを有するケース１と、このケース１の開口部1aに、少なくともその一部の表面を臨ませて取り付けられる回転体２と、この回転体２の回転軸６を駆動する駆動源４と、回転体２の表面側に回転軸６と平行に配設されるローラ形状のマッサージ部３とを有している。そして、このマッサージ装置では、マッサージ部３を回転体に固着して形成されている。
【００１０】
ケース１は合成樹脂を、上部ケース1bと下部の基体部1cとに分割して成形し、一体に組み立てることができるようにし、このような基体部1cに対して駆動原４である電動モーターを設け、またこのような基体部1cに立設される支持片1dに回転体２の回転軸６を回転自在に支持するなどすることができる。
【００１１】
また、ローラ形状のマッサージ部３は、断面円形の回転体２と一体に樹脂成形するなどして形成することができる。この図では、合計４個のマッサージ部３を断面半円形状に等間隔に配設している。なお、このマッサージ部3の形状は、必ずしも回転軸６に平行でなくとも良く、さらに種々変更することができ、要は回転体２の表面から突出する部分として形成されていればよいものである。
【００１２】
また、この図においては、ケース１の開口部1aにはカバー布５が張設されているので、マッサージされる部分に対する当たりがやわらかくなって、マッサージ部３の肌に対する摩擦を小さくしてほどよいマッサージ効果が工夫されている。しかしながら、このカバー布５を省略して押圧、さすり感を高めた状態として用いることもできる。
【００１３】
また、上記のものとは異なり、図２(a)、(b)に示される回転体２を、この図１のマッサージ装置の回転体２に代えてマッサージ装置を構成することもできる。この場合、回転体２は、回転プレート７、駆動軸６およびローラ形状のマッサージ部３の集合体として形成されている。つまり、円形回転プレート７が、その中心を直交貫通する駆動軸６に固着されるとともに、これらの回転プレート７の対向する両面における外周部を五等分する位置に、ローラ形状のマッサージ部３端部を固着させて、合計5本取り付けている。また、駆動軸６の一端部には駆動源４からの動力を受けるウォームギヤ８が取り付けられている
これらのマッサージ部３は断面円形状の回転体であって、中央と左右にくびれ部3a、3b、3bを設けている。この場合、左右のくびれ部3b、3bに左右の足を載せて足の位置を安定させてマッサージを行うことができる。
【００１４】
また、図２で示した複数のマッサージ部３をそれぞれ略等間隔で回転軸６に平行に配設したものにおいて、少なくとも一つ以上のマッサージ部3自体を自由回転可能に配設する形態も好ましいものである。この場合、自由回転可能なマッサージ部３の数を増やすほどさすり感が減少するが、肌に対する負荷の少ないマッサージを行うことができるようになる。
【００１５】
また、この回転体２を図３のように構成する形態も好ましいものの一つである。この場合は、マッサージ部３を長手方向に分割形成するとともに、分割された一部を自由回転可能に配設しているものである。この場合、マッサージ部３の中央と左右にあるくびれ部3a、3b、3bのそれぞれにおいて分割している。そして、一つのマッサージ部３において一端部のみ自由回転可能とし、次のマッサージ部３でそのとなりの中央部、さらに次のマッサージ部３においては両中央部、さらに次のマッサージ部３においては他端部側の中央部、さらに5本目のマッサージ部３においては他端部のみを自由回転するようにして、回転体２が一回転する間に一端から他端に順に自由回転する部分が、なめらかに左右のバランスをとって移動するようにしている。また、自由に種々回転する部分と非回転の部分とを組み合わせを変更すれば、さすり感のレベルを種々異ならせることができる。
【図面の簡単な説明】
【００１６】
【図１】本願発明の一実施形態であるマッサージ装置の全体構成を模式的に示す説明図であ。
【図２】同マッサージ装置における回転体の一例を示し、(ａ)は正面図、(ｂ)は側面図である。
【図３】同マッサージ装置における回転体の異なる一例を示す正面図である。
【図４】従来例を示す断面図である。
【符号の説明】
【００１７】
１  ケース
２  回転体
３  マッサージ部
４  駆動源
５  カバー布
６  回転軸
７  回転プレート
８  ウォームギヤ
【図１】
2005058581.tif 000003
【図２】
2005058581.tif 000004
【図３】
2005058581.tif 000005
【図４】
2005058581.tif 000006